(57)【要約】【課題】容器本体内のお米等のデンプンを消化し易い状態とし、お粥等の芯残りも生じ難く、味覚的にも優れていると共に、利用者が炊飯釜内に配置された前記容器本体を安全に取り出し易い等、取り扱いやすさも有する炊飯釜用蓋付き容器を提供すること。【解決手段】上部に開口部１０１を有し、炊飯釜２１０内に配置される容器本体１００と、前記容器本体の開口部を覆うための蓋部１１０と、を有し、前記容器本体が金属により形成され、前記蓋部には、前記蓋部が前記開口部に配置された際に、利用者が前記容器本体の側面１０３を保持するための把持部１１２が形成され、前記把持部が利用者の保持力によって前記容器本体の側面に向かって撓む構成となっている炊飯釜用蓋付き容器１０。【選択図】  図１
2005027856.tif 000002
【特許請求の範囲】
【請求項１】
上部に開口部を有し、炊飯釜内に配置される容器本体と、
前記容器本体の開口部を覆うための蓋部と、を有する炊飯釜用蓋付き容器であって、
前記容器本体が金属により形成され、
前記蓋部には、前記蓋部が前記開口部に配置された際に、利用者が前記容器本体の側面を保持するための把持部が形成され、
前記把持部が利用者の保持力によって前記容器本体の側面に向かって撓む構成となっていることを特徴とする炊飯釜用蓋付き容器。
【請求項２】
前記容器本体の前記開口部の縁部には、外方に向かって係合突部が形成されていることを特徴とする請求項１に記載の炊飯釜用蓋付き容器。
【請求項３】
保管状態において、前記蓋部の上部には、濾し網が配置されており、
前記濾し網の上部には、茶碗が配置されるよう構成されており、
前記濾し網は、前記容器本体の前記開口部にも配置可能に構成されていることを特徴とする請求項１又は請求項２に記載の炊飯釜用蓋付き容器。
【発明の詳細な説明】
【０００１】
【発明の属する技術分野】
本発明は、炊飯釜内に容器本体を配置して、炊飯釜で炊飯を行うと同時に、容器本体内のお粥等を調理する炊飯釜用蓋付き容器に関するものである。
【０００２】
【従来の技術】
従来より、乳幼児等の離乳食や、病気の人用に作るお粥等と、大人のご飯とを同時に調理するため、炊飯釜内に収容可能なお粥炊飯容器が提案されている（例えば、特許文献１）。
このお粥炊飯容器は、炊飯釜内に配置されてお粥を作るので高温となる。そして、このように高温となったお粥炊飯容器を炊飯釜から利用者が取り出すようになっている。
ここで提案されているお粥炊飯容器は、特許文献１の実用新案登録請求の範囲にもあるように、透明性を持たせた耐熱性に優れた薄肉の合成樹脂で形成されている。
これは、炊飯釜内の熱に耐えられる耐熱性を備え、かつ、熱を伝えるために採用されたものである。
【０００３】
【特許文献１】
実用新案登録第３０３２９５３号（第１図等）
【０００４】
【発明が解決しようとする課題】
しかし、お米は、元来、容易に水分の入ることのできない「ミセル」構造を持った「βデンプン」の状態で安定した組成を有している。
この「βデンプン」の状態では、酵素の作用を受けにくく、乳幼児等にとって消化し難いデンプンとなる。すなわち、このような「βデンプン」の状態のお粥は、消化し難く、芯残りが生じ易く、味覚的にも良くないので、離乳食等としては好ましくなく問題となっていた。
一方、この「βデンプン」を消化しやすい「αデンプン」にすれば、消化し易くなり離乳食等としては好ましいデンプンを有するお粥等となる。
しかし、「αデンプン」にするには、温度上昇を急速に行う必要があるため、お粥炊飯容器自体を熱伝導性の良好な素材により形成する必要があるが、これでは、お粥炊飯容器自体が高温となり利用者がお粥炊飯容器を炊飯釜から取り出しにくいという問題があった。
【０００５】
そこで、本発明は、以上の点に鑑み、容器本体内のお米等のデンプンを消化し易い状態とし、お粥等の芯残りも生じ難く、味覚的にも優れていると共に、利用者が炊飯釜内に配置された前記容器本体を安全に取り出し易い等、取り扱いやすさも有する炊飯釜用蓋付き容器を提供することを目的とする。
【０００６】
【課題を解決するための手段】
前記目的は、請求項１の発明によれば、上部に開口部を有し、炊飯釜内に配置される容器本体と、前記容器本体の開口部を覆うための蓋部と、を有する炊飯釜用蓋付き容器であって、前記容器本体が金属により形成され、前記蓋部には、前記蓋部が前記開口部に配置された際に、利用者が前記容器本体の側面を保持するための把持部が形成され、前記把持部が利用者の保持力によって前記容器本体の側面に向かって撓む構成となっていることを特徴とする炊飯釜用蓋付き容器により達成される。
【０００７】
請求項１の構成によれば、前記容器本体が金属により形成されているので、前記容器本体が例えば、プラスチックやガラス、陶器等で形成されている場合に比べ熱伝導率が非常に良く、炊飯釜における加熱段階に応じて、容器本体も対応して温度上昇することができ、例えば芯残りのない、おいしいお粥を作ることができる。
すなわち、前記容器本体に熱伝導率が低い材料を使用した場合、容器本体内に、例えばお米を入れて、離乳食である例えば、お粥を作る場合、お米は、容易に水分の入ることのできない「ミセル」構造を持った「βデンプン」の状態となりやすい。
このようにお米のデンプンが「βデンプン」の状態では酵素の作用を受けにくく、例えば乳幼児にとって消化が悪くなる。
【０００８】
一方、このような「βデンプン」の状態のお米に、充分量の水を含ませ、充分に加熱することで、前記「ミセル」構造に伴うデンプンの分子結合の間に水を入り込ませることができる。
そして、この水を入り込ませて加熱することで分子の結合が外れ、単分子とされた周囲を水が囲んだ状態の「αデンプン」となり、分子配列が規則性を失って、消化酵素の作用を受けやすく消化に優れた状態となり、味覚的にも優れたものとなる。
このようにデンプンを「αデンプン」にするためには「加熱」が必要であるが、この「加熱」は、具体的には、前記「ミセル」構造の分子結合間に隙間を形成させるような「加熱」が必要となる。すなわち、前記容器本体の温度が加熱により素早く上昇し、これにより、内部のお米のデンプンの各分子に急激な運動を行わせ、そして、この運動により前記隙間を生じさせる必要がある。
【０００９】
この点、従来のように、容器本体がプラスチックやガラス、陶器で形成されている場合は、熱伝導率が劣るため加熱しても容器本体内のお米の温度が素早く上昇しない。
このため、お米のデンプンが、速やかに「αデンプン」とならず、消化し難く、味覚的にも劣るお粥等となっていた。
これに対し、本請求項の発明では、前記容器本体が熱伝導率が良い金属により形成されているので、加熱により素早くお米の温度が上昇し、お米のデンプンも速やかに「αデンプン」となる。
このため、前記容器本体で作られるお粥等は、消化酵素の作用を受けやすく消化に優れた状態となり、また味覚的にも優れたお粥等となる。また、このお粥等は芯残りのない、おいしいお粥ともなる。
【００１０】
一方、本請求項の構成では、前記蓋部には、前記蓋部が前記開口部に配置された際に、利用者が前記容器本体の側面を保持するための把持部が形成されている。
このため、前記炊飯釜内でお粥等を作った後、前記容器本体の前記開口部を覆うように前記蓋部を配置し、さらに前記把持部に利用者等の指等を配置して保持することができる。
すなわち、優れた炊飯を行うために金属製とされた前記容器本体に対して、前記炊飯釜内で加熱され、その表面が熱くなっている前記容器本体に直接、触れることなく利用者等は、前記容器本体を取り出すことができる。
換言すれば、利用者等は前記把持部を介して前記容器本体の側面を保持することで、前記容器本体の熱さをあまり感じることなく、スムーズに前記容器本体を取り出すことがでできることになる。
【００１１】
また、この把持部は、前記蓋部に形成されているので、前記蓋部を前記容器本体の開口部に覆うように配置する動作を行うことで、同時に前記容器本体の側面に位置決めされる。
このため、前記把持部の位置決めもスムーズに行われるので、前記把持部に位置決めに利用者等が手間取ることがないだけでなく、前記容器本体の開口を覆うため、炊飯釜から容器本体を取り出す際に、開口部からの熱の影響を受けることなく、また、加熱されたお粥等がこぼれ出る危険も防ぐことができる。
さらに、本請求項の構成では、前記把持部が利用者の保持力によって前記容器本体の側面に向かって撓む構成となっている。
このため、前記把持部の位置が、前記容器本体の開口部よりも広く形成されており、利用者等が前記把持部を保持し、前記容器本体の側面に向かって押すと、前記把持部が撓み、前記保持部が前記容器本体の側面に当接するので、利用者等は前記容器本体の開口部に前記把持部を配置しやすく、さらに、より確実に把持することができ、誤って前記容器本体を落とすことがない。
【００１２】
好ましくは、請求項２の発明によれば、請求項１の構成において、前記容器本体の前記開口部の縁部には、外方に向かって係合突部が形成されていることを特徴とする炊飯釜用蓋付き容器である。
【００１３】
請求項２の構成によれば、前記蓋部を前記容器本体の開口部に覆うように配置するとき、前記容器本体の前記係合突部が、前記蓋部の内側であって、前記把持部よりも上方に位置する。
このため、前記蓋部に形成されている前記把持部で利用者等が前記容器本体の側面を保持するために把持部を撓ませた場合、把持部の上方に係合突部が配置されるため、把持部を介した指がかりとして機能することで、より確実に前記容器本体を保持することが可能となり、取り出す際に、誤って前記容器本体を落とす危険性を著しく少なくすることができる。
【００１４】
好ましくは、請求項３の発明によれば、請求項１又は請求項２の構成において、保管状態において、前記蓋部の上部には、濾し網が配置されており、前記濾し網の上部には、茶碗が配置されるよう構成されており、前記濾し網は、前記容器本体の前記開口部にも配置可能に構成されていることを特徴とする炊飯釜用蓋付き容器である。
【００１５】
請求項３の構成によれば、保管状態において、前記蓋部の上部には、濾し網が配置されており、前記濾し網の上部には、茶碗が配置されている。
前記容器本体で調理した例えば、お粥等を乳幼児等に離乳食等として与える場合、お粥等の状態では未だ、乳幼児等が摂取し難いので、前記濾し網でお粥等を濾す必要がある。
このとき、前記濾し網を前記茶碗の上に配置し、前記濾し網の上に前記お粥等を配置し、ヘラ等でお粥等を裏ごしし流動性のある離乳食等を作ることになる。
このため、請求項３の構成によれば、このような離乳食等を作るための道具が一体的に収納可能となり、利用者が使い易い炊飯釜用蓋付き容器となる。
さらに、濾し網を容器本体の開口部にも配置することができるよう構成されている。例えば、容器本体にお米を収容した後、洗米時に濾し網で開口部を覆うことで、容易にお米を研ぐことができるなど、容器本体内に固形物を残し、容器本体外部に液状物を排出する際にも、濾し網を使用することができる。
【００１６】
【発明の実施の形態】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１７】
（第１の実施の形態）
図１（ａ）は、本発明の炊飯釜用蓋付き容器である例えば、お粥調理器１０を示す概略正面図であり、図１（ｂ）は、図１（ａ）の概略側面図である。
図２（ａ）は、図１（ａ）の概略平面図であり、図２（ｂ）は、図２（ａ）のＡ−Ａ’線概略断面図である。
図１及び図２（ｂ）に示すように、お粥調理器１０は、容器本体である例えば、お粥ポット１００を有している。
図３（ｂ）は、図１（ｂ）のお粥ポット１００の概略正面図であり、図３（ａ）は、図３（ｂ）のお粥ポット１００の概略平面図である。
図３（ａ）及び（ｂ）に示すように、お粥ポット１００は、上部に開口部である例えば、ポット開口部１０１を有する有底の円筒形で形成されている。
【００１８】
また、お粥ポット１００は、耐熱性及び耐衝撃性に優れ、熱伝導率が良い金属例えば、ステンレスにより形成されている。
なお、図３（ｂ）に示されているように、お粥ポット１００の側面１０３には目盛り部１０３ａ，１０３ｂ，１０３ｃが内面に突出するよう彫刻されており、作るお粥やご飯にあわせた適切な水量を明示している。
また、図２（ｂ）や図３（ａ）に示されるように、お粥ポット１００の底面１０２の外周側には底面リブ１０２ａが形成されており、お粥ポット１００の剛性を高めている。
さらに、図２（ｂ）に示されているように、お粥ポット１００は底面１０２が側面１０３よりも僅かに厚みが増した状態で形成されている。
このお粥ポット１００は、ステンレスの他に、銅やアルミニウム等で形成されていてもよく、各種素材を積層したものとしてもよい。
また、お粥ポット１００の内面にフッ素樹脂加工（テフロン（登録商標）加工）を行い、炊飯した対象物を取り出しやすく構成してもよい。
さらに、同様にお粥ポット１００の外面に凹凸を設けることや、フッ素樹脂加工（テフロン（登録商標）加工）を施し、炊飯釜にて同時に炊飯したご飯がお粥ポット１００の外面に貼りつきずらいよう構成してもよい。
さらに、このお粥ポット１００は、そのポット底面１０２が、後述するように炊飯釜の内部のお米の上に配置される構成となっている。
【００１９】
そして、図１及び図２（ｂ）に示すように、お粥ポット１００の上には、お粥ポットのポット開口部１０１を覆うための蓋部である例えば、取っ手付き蓋１１０が配置されている。
図１（ａ）（ｂ）に示すように、取っ手付き蓋１１０には、主にお粥ポット１００のポット開口部１０１を覆うための蓋体１１１と、この蓋体１１１から図において下方に舌状若しくは略半円形に延伸して形成された把持部である例えば、取っ手１１２とを有している。
この取っ手１１２は蓋体１１１が図１（ｂ）に示すように、２箇所のお粥ポット１００を介して対向する位置に形成されており、ポット開口部１０１に配置された際に、利用者がお粥ポット１００の側面１０３を保持するための把持部として機能する。
【００２０】
また、この取っ手付き蓋１１０は、例えば柔軟性のあるエラストマーやシリコーン等により形成されている。
そして、図１（ｂ）の取っ手１１２に図において外方から利用者が指を置き、力を入れると、その保持力によって、取っ手１１２はお粥ポット１００の側面１０３に向かって撓む構成となっている。
すなわち、取っ手１１２は、図１（ｂ）の矢印Ｘ又は矢印Ｘ’の方向に撓み、取っ手１１２の内側が側面１０３に当接する構成となっている。
【００２１】
ところで、お粥ポット１００のポット開口部１０１の縁部には、図２（ｂ）に示すように、外方に向かって係合部である例えば、凸部１０４が形成されている。
この凸部１０４は、具体的には、ポット開口部１０１の縁を円弧状に折り曲げて形成されている。
この凸部１０４は図２（ｂ）に示すように取っ手付き蓋１１０の内側に係合又は当接される構成となっている。
【００２２】
ところで、図２（ｂ）に示すように、取っ手付き蓋１１０の上部には、濾し網である例えば、濾し網部１２０が配置可能な構成となっている。また、この濾し網部１２０の上部には、茶碗である例えば、ご飯茶碗１３０が配置可能な構成となっている。
すなわち、図２（ｂ）に示すように、お粥ポット１００の上に取っ手付き蓋１１０、濾し網部１２０、そしてご飯茶碗１３０が重なり合うように配置され、収容時等においては、全体として一体的に形成される。
なお、図２（ｂ）に示すように、濾し網部１２０はお粥ポット１００の開口部１０１上にも直接配置することが可能とされている。
【００２３】
ところで、図４は、図２（ｂ）の濾し網部１２０の概略平面図である。
図４に示すように、濾し網部１２０は、枠体である濾し網本体１２１と、メッシュ状に網が形成されている濾し網１２２と、を有している。
また、濾し網本体１２１の外側には、図４に示すように濾し網開口１２１ａが形成されている。
この濾し網開口１２１ａに、図２（ｂ）に示すように計量スプーン１４０を差し込むことで、計量スプーン１４０は、濾し網部１２０と一体的に配置され、これにより、計量スプーン１４０も含めて、お粥ポット１００上に各種の道具が一体的に配置される構成となっている。
【００２４】
また、この計量スプーン１４０の図において柄の下部側は平面状とされたヘラ１４１が形成されている。
そして、濾し網本体１２１は、例えばポリプロピレン（ＰＰ）で形成され、濾し網１２２は、例えばステンレス網で形成されている。
さらに、計量スプーン１４０は、例えばポリプロピレン（ＰＰ）で形成されている。
【００２５】
ところで、図２（ａ）（ｂ）に示すように、ご飯茶碗１３０は略円形の開口を有し、図１（ｂ）に示すように、充分な深さを有している。
このため、生米を収容してお粥を炊いても吹きこぼれることなく、炊けたお粥等を掬い易い形状となっている。
本実施の形態のお粥調理器１０は以上のように構成されているが、以下作用、効果等を使用方法と共に説明する。
【００２６】
以下、炊飯釜で離乳食用お粥を作る例で説明する。
まず、図３のお粥ポット１００に計量スプーン１４０を使用して計量したお米をいれて洗米する。このとき、お粥ポット１００に図４の濾し網部１２０を被せ、水と一緒に振って、濾し網１２２から水を排出することで洗米をすることができる。
洗米した後、計量したお米の量に合わせてお粥ポット１００の各目盛り部を目安として適量の水を入れる。
【００２７】
そして、図５及び図６に示す炊飯器２００の炊飯釜２１０内に洗米したお米と水を入れた状態で、炊飯釜２１０の中央にお粥ポット１００を配置する。
図５は炊飯器２００、炊飯釜２１０及びお粥ポット１００の状態を示す概略図である。
図６は、炊飯器２００、炊飯釜２１０及びお粥ポット１００の状態を示す概略断面図である。
すなわち、図６に示すように洗米後のお米と水を入れたお粥ポット１００を炊飯釜２１０のお米の上に直接配置する。
その後、炊飯器２００のスイッチをいれることで、炊飯釜２１０のお米を炊くのと同時に、お粥ポット１００内のお米が異なる水分量とされたことに伴い、お粥となる。
すなわち、同時に大人のご飯と、乳幼児や病人のお粥を作ることができる。
【００２８】
また、このとき、お粥ポット１００はステンレスで形成されているので、従来のように、樹脂や陶器製等のお粥炊飯容器に場合に比べ熱伝導性が良い。このため、芯残りのない、おいしいお粥を作ることができることになる。
すなわち、お粥ポット１００内のお米は、容易に水分の入ることのできない「ミセル」構造を持った「βデンプン」の状態となっている。
このようにお米のデンプンが「βデンプン」の状態では酵素の作用を受けにくく、この状態で離乳食のお粥を作っても、乳幼児にとって消化が悪いお粥となる。
一方、このような「βデンプン」の状態のお米に、充分量の水を含ませ、充分に加熱すると、前記「ミセル」構造に伴うデンプンの分子結合の間に水を入り込ませることが可能となる。
【００２９】
そして、この水を入り込ませて加熱することで分子の結合が外れ、単分子とされた周囲を水が囲んだ状態の「αデンプン」となり、分子配列が規則性を失って、消化酵素の作用を受けやすく消化に優れた状態となり、味覚的にも優れたものとなる。
このようにデンプンを「αデンプン」にするためには「加熱」が必要であるが、この「加熱」は、具体的には、前記「ミセル」構造の分子結合間に隙間を形成させるような「加熱」が必要となる。
すなわち、お粥ポット１００の温度が加熱により素早く上昇し、これにより、内部のお米のデンプンの各分子に急激な運動を行わせ、そして、この運動により前記隙間を生じさせる必要がある。
【００３０】
この点、従来のように、お粥炊飯容器が樹脂等で形成されている場合は、熱伝導率が悪いため加熱してもお粥炊飯容器内のお米の温度が素早く上昇しない。
このため、お米のデンプンが、速やかに「αデンプン」とならず、消化し難く、味覚的にも劣るお粥等となっていた。
これに対し、本実施の形態では、お粥ポット１００が熱伝導率が良い金属であるステンレスにより形成されているので、加熱により素早くお米の温度が上昇し、お米のデンプンも速やかに「αデンプン」となる。
このため、お粥ポット１００で作られるお粥は、消化酵素の作用を受けやすく消化し易い状態となり、また味覚的にも優れたお粥等となる。また、このお粥等は芯残りのない、おいしいお粥ともなる。
【００３１】
ところで、炊飯器２００内のお粥ポット１００でお粥を作った後、このお粥ポット１００を利用者が炊飯釜２１０から取り出すことになる。
図７は、利用者が炊飯釜２１０からお粥ポット１００を取り出している状態を示す概略斜視図である。
図７に示すように、利用者は図１（ａ）の取っ手付き蓋１１０を持ち、取っ手付き蓋１１０をお粥ポット１００のポット開口部１０１に被せるように配置する。
【００３２】
そして、取っ手付き蓋１１０の取っ手１１２に指を置いて、この取っ手付き蓋１１０を撓ませて、取っ手１１２を介してお粥ポット１００の側面１０３を保持し、お粥ポット１００を炊飯釜２１０から取り出すことになる。
このとき、取っ手付き蓋１１０には、この取っ手付き蓋１１０がポット開口部１０１に配置された際に、利用者がお粥ポット１００の側面１０３を保持するための取っ手１１２が形成されている。
【００３３】
このため、炊飯釜２１０内で加熱され、その表面が熱くなっているお粥ポット１００に直接、触れることなく利用者等は、お粥ポット１００を取り出すことができる。
換言すれば、利用者等は取っ手１１２を介してお粥ポット１００の側面１０３を保持することで、お粥ポット１００の熱さをあまり感じることなく、スムーズにお粥ポット１００を取り出すことがでできることになる。
【００３４】
また、取っ手１１２は、図１に示すように、蓋体１１１に形成されているので、前記蓋体１１１をお粥ポット１００のポット開口部１０１に覆うように配置する動作を行うことで、同時にお粥ポット１００の側面１０３に位置決めされる。
このため、熱気の出ている開口部１０１を蓋体１１１で覆うことができるだけでなく、取っ手１１２の位置決めもスムーズに行われるので、取っ手１１２の位置決めに利用者等が手間取ることがない。
【００３５】
さらに、本実施の形態では、取っ手１１２が利用者の保持力によってお粥ポット１００の側面１０３に向かって、図１（ｂ）の矢印Ｘ等のように、撓む構成となっている。
このため、取っ手１１２が開口部１０１よりも間隔が広く形成されて位置決めしやすくされている。さらに、利用者が図７に示すように、取っ手１１２を保持し、お粥ポット１００の側面１０３に向かって押すと、取っ手１１２が図１（ｂ）の矢印Ｘ等のように撓み、取っ手１１２がお粥ポット１００の側面１０３に当接するので、利用者はお粥ポット１００をより確実に把持することができ、誤ってお粥ポット１００を落とすことがない。
【００３６】
また、図７のように利用者が取っ手１１２を保持してお粥ポット１００を持ち上げるとき、図２のお粥ポット１００の凸部１０４は、撓んだ取っ手１１２の内側に配置される。
このため、取っ手１１２で利用者がお粥ポット１００の側面１０３を保持する際、この凸部１０４を下から支持して持ち上げるようになる。
したがって、取っ手付き蓋１１０は、お粥ポット１００の側面１０３のみならず、お粥ポット１００の凸部１０４をも支持するので、より確実にお粥ポット１００を保持することが可能となり、取り出す際に、誤ってお粥ポット１００を落とす可能性を著しく少なくすることができる。
また、取っ手付き蓋１１０がエラストマー等の弾性体で形成されているため、滑り止め効果を発揮することもあって、安全に取り出すことができる。
【００３７】
このように、炊飯釜２１０から取り出したお粥ポット１００内のお粥を図１のご飯茶碗１３０に入れることで離乳食を乳幼児に与えることができる。
このご飯茶碗１３０は、上述のように深い容器に成っているので、乳幼児や介助者である母親等がお粥を掬い易い構成となっている。
また、お粥を裏ごしする場合は、図８に示すように、ご飯茶碗１３０の上に濾し網部１２０を配置し、濾し網１２２の上にお粥を載せ、計量スプーン１４０のヘラ１４１でお粥を裏ごしすることで簡単に離乳初期用のお粥を作ることができる。
図８は、裏ごしの状態を示す概略説明図である。
なお、取っ手付き蓋１１０は開口部１０１を覆うよう構成されているため、お粥を取り分けて保存する場合などに蓋として機能するため、内容物の汚染を防ぐことができる。また、取っ手付き蓋１１０はご飯茶碗１３０の開口にも配置可能とされており、ご飯茶碗１３０に移した後の内容物の汚染も防ぐことができる。
【００３８】
そして、図１に示すように、取っ手付き蓋１１０の上部には、濾し網部１２０が配置可能な構成となっており、濾し網部１２０の上部には、ご飯茶碗１３０が配置可能な構成となっている。
また、濾し網部１２０には計量スプーン１４０も配置できる構成となっている。
したがって、離乳食の調理が終わった後、これらの道具を一体的にして保管することができるので利用者が使い易いお粥調理器１０となっている。
また、計量スプーン１４０のスプーンの部分は、お粥用のお米を計量してお粥ポット１００内に入れる際に使うことができる。
【００３９】
以上のように本実施の形態のお粥調理器１０は、お粥ポット１００内のお米のデンプンが消化し易い状態となり、お粥も芯残りが生じ難く、味覚的にも優れていると共に、利用者が炊飯釜２１０内に配置されたお粥ポット１００を安全に取り出し易くなる。
【００４０】
（第２の実施の形態）
図９は、本発明の第２の実施の形態に係るお粥調理器２０を示す概略図である。
本実施の形態のお粥調理器２０の多くの構成は、上述の第１の実施の形態のお粥調理器１０と同様なため同一の構成は同一符号等とし、以下相違点を中心に説明する。
図９に示すように、本実施の形態のお粥調理器２０は、第１の実施の形態のお粥調理器１０と取っ手付き蓋２２０の構成が異なる。
【００４１】
すなわち、図９に示すように、取っ手付き蓋２２０には、図において縦方向に複数の切り欠き部２２３が形成され、この切り欠き部２２３により複数の取っ手２１２が形成されている。このように複数の切り欠き部２２３が形成されているため、本実施の形態における取っ手付き蓋２２０はポリプロピレン等の比較的剛性を有する材料で形成してもよい。
そして、これら複数の取っ手２１２はそれぞれお粥ポット１００の側面１０３に向かって撓む構成となっている。
また、利用者が図７に示すように、指で取っ手２１２を保持する際、取っ手２１２が、全ての周面に配置されている。このため、第１の実施の形態と異なり、利用者は取っ手２１２の位置を探すことなく、多くの指を使用して、どの方向からでも取っ手２１２を持つことができるので、よりお粥ポット１００を取り出しやすい構成となっている。
【００４２】
本発明は、上述の各実施の形態に限定されない。ご飯茶碗以外にも様々な食器と組み合わせられるよう構成してもよい。また、お粥の炊飯だけでなく、好みの違いに合わせて硬さの異なるご飯の炊飯に使用してもよく、炊飯器２００を使用して、その他の食材を加熱調理するために使用してもよい。さらに、上述の各実施の形態は、相互に組み合わせて構成するようにしてもよい。
【００４３】
【発明の効果】
以上述べたように、本発明によれば、容器本体内のお米等のデンプンを消化し易い状態とし、お粥等の芯残りも生じ難く、味覚的にも優れていると共に、利用者が炊飯釜内に配置された前記容器本体を安全に取り出し易い炊飯釜用蓋付き容器を提供することができる。
【図面の簡単な説明】
【図１】（ａ）は、本発明の炊飯釜用蓋付き容器である例えば、お粥調理器を示す概略正面図であり、（ｂ）は、図１（ａ）の概略側面である。
【図２】（ａ）は、図１（ａ）の概略平面図であり、（ｂ）は、図２（ａ）のＡ−Ａ’線概略断面図である。
【図３】（ａ）は、図３（ｂ）のお粥ポット１００の概略平面図であり、（ｂ）は、図１（ｂ）のお粥ポットの概略正面図である。
【図４】図２（ｂ）の濾し網部の概略平面図である。
【図５】炊飯器、炊飯釜及びお粥ポットの状態を示す概略図である。
【図６】炊飯器、炊飯釜及びお粥ポットの状態を示す概略断面図である。
【図７】利用者が炊飯釜からお粥ポットを取り出している状態を示す概略斜視図である。
【図８】裏ごしの状態を示す概略説明図である。
【図９】本発明の第２の実施の形態に係るお粥調理器を示す概略図である。
【符号の説明】
１０、２０・・・お粥調理器、１００・・・お粥ポット、１０１・・・ポット開口部、１０２・・・ポット底面、１０３・・・側面、１０４・・・凸部、１１０、２１０・・・取っ手付き蓋、１１１・・・蓋体、１１２、２１２・・・取っ手、１２０・・・濾し網部、１２１・・・濾し網本体、１２１ａ・・・濾し網開口、１２２・・・濾し網、１３０・・・ご飯茶碗、１４０・・・計量スプーン、１４１・・・ヘラ、２００・・・炊飯器、２１０・・・炊飯釜、２２３・・・切り欠き部。
【図１】
2005027856.tif 000003
【図２】
2005027856.tif 000004
【図３】
2005027856.tif 000005
【図４】
2005027856.tif 000006
【図５】
2005027856.tif 000007
【図６】
2005027856.tif 000008
【図７】
2005027856.tif 000009
【図８】
2005027856.tif 000010
【図９】
2005027856.tif 000011